(57)【特許請求の範囲】
【請求項１】
折山を有するシート状の栞本体と、前記折山の頂部に１個の切り込みを有し、折山によって二分された一方の面に１個以上の切れ込みを有し、前記の各切れ込みにヒモが通され、折山の頂部にある切り込みから出たヒモを本のページ間の移動専用に使用し、折山によって二分された一方の面に設けられた切れ込みからでたヒモの端には結び目を有するか、又は前記ヒモの端には留具類が取り付けられた栞。
【請求項２】
折り曲げ可能な折山を有する縦長状の栞本体と、一方の端部に抜けどめ部を有するヒモを備え、ヒモの他方の端部を前記折山の頂部に貫通させ、さらに、折山によって二分された一方の面を少なくとも１回貫通させ、かつ、折山によって二分された他方の面を少なくとも１回貫通させることによって、ヒモをループ状に形成し、少なくとも本の表紙を前記ループ内に収容できるようにしたことを特徴とする栞。
【発明の詳細な説明】
【技術分野】
【０００１】  本発明は、折山を有するヒモつき栞に関する。
【背景技術】
【０００２】  従来、栞の機能は、平らな１枚の紙片だけのもの、あるいは、その平らな紙片の頭部に穴を設けその穴に、２ｃｍ位の２本のヒモが出ているものによりはたされていたり、本本体に装着されたヒモによってはたされていた。
【発明の開示】
【発明が解決しようとする課題】
【０００３】  これらのものにはつぎのような問題点があった。
紙製品の栞は読みかけの頁を開く際、注意を怠ると落とすことがあり、特に満員電車の中で読みかけの本の頁を開く際、注意を怠ると栞が落ちるという欠点があった。
また、本本体に装着されたヒモは、その本専用にしか使用できないという欠点があった。しかし、本発明は両者の欠点を見事に解決し、どの本にも使用可能のうえ、読みかけの頁を開いても落とすことがない。
【課題を解決するための手段】
【０００４】  本発明は従来の紙の栞本体を長くし、さらに折山を作り、ヒモを通すための穴を２以上あけ、その穴に従来の栞に装着されていたヒモとは比較にならないほど長いヒモを通したことにより落ちない栞としての構造を有することになった落ちない栞である。さらに、本発明は留具類等を装着することを加えることにより落ちない栞としての機能をさらに高めた。
又、本発明は、折山を有するシート状の栞本体に従来の栞本体に装着されていたヒモとは、比較にならないほど長いヒモを装着することにより落ちない栞としての構造を有することになった落ちない栞である。
さらに、本発明は折り曲げ可能な折山を有する縦長状の栞本体であって、その栞本体はその栞本体を折ったときにその外側に現れる折り目の部分である折山を有し、かつ、その折山の形成より生じた折山の内側の面を有する栞本体であり、その栞本体は外側の折山の形成により、その内側に現れる内側の折り目を頂点とする逆Ｖ字型の構造を形成し、その内側に現れた折り目はその構造により逆Ｖ字型の頂部を本本体のページの上部にあるページの頂部に当接して掛けることが出来る機能をその構造上持ち合わせており、折山により形成された栞本体の内側の面を本本体のページに当接密着して掛けることが出来る折り曲げ可能な折山を有する縦長状の栞本体と、前記折山近傍に設けられたヒモとを備えた栞である。
【発明の効果】
【０００５】  満員電車の中で読みかけの本を開いても栞が落ちず、また、どのような形体の本及びどのようなサイズの本でも使用できるという効果がある。
【発明を実施するための最良の形態】
【０００６】  以下、本発明の実施例について説明する。
この発明は、紙の栞の長さを長くし、さらに、その長くした栞に折山Ｃで分けられた片方の面の折山Ｃと相対する辺以外の向き合った二つの辺のいずれか一方の辺に偏った部分に位置する穴Ｄで、折山Ｃ近傍に位置にする１個以上の穴Ｄを開け、前記の辺に偏った部分に位置する穴Ｄで折山Ｃ近傍以外の穴Ｄを１個以上開け、その穴Ｄに長いヒモを通して取り付けて落ちない栞として使用する。
さらに、この発明は、折山Ｃのあるシート状の栞本体とその栞本体についているヒモとの両者によって栞としての機能をはたすものである。なお、前記穴Ｄは図８でも解るように切り込みでも良く、又、針穴に通されたヒモを針先により栞本体に強引に貫通させることによっても落ちない栞としての機能構造目的を達成することが可能である。
折山Ｃを本の前書きとか目次が印刷されている頁の上の部分の奥に面Ａが表表紙の方になるように掛ける。長い方のヒモＥ−２は読みかけの頁に頭頂部から下部へ向かって挿入して使用する（図３）。
図２は折山Ｃで分けられた片方の面Ａの折山Ｃと相対する辺以外の向き合った二つの辺のいずれか一方の辺に偏った部分に位置する穴Ｄで、折山Ｃ近傍に位置にする２個の穴Ｄで、この２個の穴ＤにヒモＥの一方の端であるヒモＥ−１を結び、ヒモＥの他の方の端であるヒモＥ−２を読みかけの頁に頭頂部から下部へ向かって挿入して使用する栞の折山Ｃをのばした状態の平面図である。図３は図２の栞を使用している状態の図である。図４は折山Ｃで二分された片方の面Ａのその面の前記折山と相対する辺以外の向き合った２辺のどちらか一方の辺に偏った部分にヒモを通すための穴Ｄを２つ以上開けた状態の折山Ｃをのばした状態の平面図である。図５は図４の２つ以上の穴にすり抜け及びズレ防止機能を付したヒモを栞本体に通した状態で、栞本体の折山を伸ばした状態の平面図である。すなわち、前記折山Ｃで二分された片方の面Ａのその面の前記折山Ｃと相対する辺以外の向き合った二つの辺のどちらか一方の辺に偏った部分にヒモを通すための穴Ｄを２つ以上有し、その穴Ｄに長いヒモが通されている。そして、前記折山Ｃ近くの穴ＤからでるヒモＥ−２を本のページ間の移動専用に使用するが、ヒモＥの折山Ｃから一番離れた穴ＤからでたヒモＥ−３は本のページの隙間からのすり抜け防止又はズレ防止用のために、ヒモＥ−３の端にヒモの結び目を有するか又は留具類が取り付けられている。
図６は図５の栞を使用している状態の図である。すなわち、折山Ｃを本の前書きとか目次が印刷されている頁の上の部分の奥にＡ面が表表紙の方になるように掛ける。長い方のヒモＥ−２は読みかけの頁に頭頂部から下部へ向かって挿入して使用する。ヒモＥ−３に有する結び目又は留具類を図６の様に本本体の下端部から外方に出るようにして使用する（図６）。
本発明は、従来のヒモのある栞の穴の位置、穴の数、ヒモの長さを変え、さらに、栞本体の長さを従来の栞の倍程度に長くするとともに、折山Ｃを有するシート状の栞本体とその栞本体の折山Ｃ近傍についている長いヒモの両者によって、従来の栞及び本本体に装着されたヒモの欠点を一挙に解決するものである。図７は折山Ｃのある栞本体の前記折山Ｃ頂上近傍に通常の取り付け方法によって、長いヒモを縫い付けたり、接着剤などで取り付けた状態の図である。図８はＡ４サイズのシートとかＢ４サイズのシートなど様々なサイズのシートＩの一部を図２、図５、図７などの落ちない栞とし、前記シートと前記栞はミシン目などの境界線ＨによりシートＩから切り離すことが可能になっている。又、シートＩの栞でない部分に設けられた切り込みＧ−３は落ちない栞の機能を構成するものではなく、切り離し可能な栞本体を切り離して使用可能にするまで、栞の長いヒモを収納するホルダーとしての機能を有する。シートＩに斜めに開けられた切れ込みＧ−３（図８に示されたシートＩの右上方部の切り込みＧ−３）は留具類の付いてないヒモＥの先端を装飾的に演出し、かつ、ヒモの先端がシートの切り込みからすりぬけることを防止する効果がある。又、ヒモＥ−３には留具類が付いている。栞本体に開けられた切り込みＧ−１，Ｇ−２は図１，２，４，５の穴Ｄと同様の機能を有する。なお、シートの切り離し可能な栞以外の面はパンフレット等の広告媒体として使用可能である。図９は折山Ｃのある図２、図５、図７、図８など栞の前記折山Ｃから一番離れた穴Ｄまたは折山Ｃから一番離れた切れ込みから出たヒモＥ−２の先端にタグＪを取り付けた栞を使用している状態の図である。
また、図面２，５，７，８のヒモＥ−２、ヒモＥの先端にタグＪを取り付けるとヒモの誘導に便利であるばかりでなく、タグＪの持つ面が、栞本体同様に広告宣伝の媒体としての機能を果たし、広告宣伝の媒体としての栞の機能を倍増させる効果を有する。タグＪは装飾品としての付加価値を有するものでもよい。さらに，図１から５の穴Ｄは図８でも解るように切り込みＧ−１，Ｇ−２でも良く、栞本体が布あるいはある程度の強度を有するシート状のものであれば、穴Ｄ又は切り込みを開けることなく、針に通されたヒモを栞本体に針により強引に貫通させることにより落ちない栞としての機能構造を持たせることを達成する。【０００７】  以上説明したように本発明において、面Ａは折山Ｃにより２分された面で、ヒモを通すための穴Ｄ又は切り込みが開けられる面である。面Ｂは折山Ｃにより２分されたもう一方の面で穴Ｄ又は切り込みがない面である。  Ｄは面Ａに明けられた穴で、面Ａの辺であって折山Ｃと相対する辺以外の向き合った二つの辺のいずれか一方の辺に偏った部分に位置していて、折山Ｃ近傍に位置する穴Ｄ、折山Ｃより離れた部分に位置する穴Ｄにより構成されている。ヒモＥは従来の本本体に装着されていたヒモの長さを上回る長さのヒモが必要となる。ヒモＥ−１は２個の穴Ｄを通して結んだ一方の端で、最大でも６ｃｍ位あれば良い。ヒモＥ−２は折山Ｃ近傍からの穴Ｄ又は切り込みから出たヒモで、本本体の読みかけの頁と次の頁の間を頁の頭頂部から下部に向かって挿入して使用するためのヒモＥ−２で折山近傍の穴Ｄ又は切り込みから出た後のヒモの長さは本本体の縦の長さ＋本の厚みの＋３ｃｍ位＋余裕のための長さを合計した長さを必要である。ヒモＥ−３は折山Ｃから一番離れた穴Ｄ又は切り込みから出たヒモで、ヒモＥ−３が本本体の頁の隙間からすり抜けたり、ずれるのを防止するためにヒモＥ−３の端に結び目を有する。さらに、ヒモＥ−３が本本体の頁の隙間からすり抜けたり、ずれるのを防止するために一般的に用いられているビーズなどの留具類を装着しても良い。Ｇ−１は栞の折山Ｃから離れた位置にあけた切れ込みでヒモＥを通すためのもの、Ｇ−２は栞の折山Ｃの付近、好ましくは図８に示されたように折山Ｃの頂部に開けた切れ込みでヒモＥを通すためのもの、Ｇ−３は栞についているヒモＥの両端がだらしなく伸びている状態をすっきりさせるための３つの切れ込みで、この３つの切れ込みＧ−３にヒモＥの両端を通すことによりヒモをシートに固定するが栞本体の機能に影響をおよぼすものではない。Ｈは栞本体とシートの境界線で、その境界線はミシン目などの切り込みで形成されているか、或はその境界線はところどころに途切れのある切り込みで形成されている。なお、タグＪを広告の媒体として使用する場合には「合格栞」等の文字などが印刷可能な平面を持つものが良く、又装飾を目的とするものはその目的に適したものが良い。また、栞本体は紙で形成したものについて述べたが、当然のことながら紙と同様の機能を発揮し、紙と同様の加工性を有する布などで形成しても良い。
次に、さらに他の実施例について図１０から図１４を参照して説明する。図１０に示された栞はヒモの一方の端部Ｋ（以下「ヒモＫ」という。）が抜けどめ防止部としての結び目を有していて、ヒモの他方の端部Ｌ（以下「ヒモＬ」という。）が前記折山Ｃの頂部を栞の表面すなわちＭ面側から栞の裏面すなわちＮ面側に貫通し、さらに折山Ｃによって二分された一方の面を１回貫通し、かつ、折山Ｃによって二分された他方の面をＭ面側からＮ面側に１回貫通し、さらに同面の折山Ｃ近傍に折山Ｃにより二分された面のＮ面側からＭ面側に向かって貫通して引き出されている。前記折山近傍から引き出されたヒモＬは本のページ間の移動専用に使用され、栞本体と栞本体に通されたヒモの中間部すなわちヒモＯがホルダーとしての機能をはたす。すなわち結び目があるヒモＬが折山Ｃの頂部のＭ面側からＮ面側に貫通し、折山Ｃにより二分された各々の面を貫通し、さらに折山近傍においてＮ面側からＭ面側に貫通している。このようにして、ヒモＫ、ヒモＯ、ヒモＬは栞本体を縫うように、かつ、ループを形成するようになっている。図１１と図１２はシートＩからミシン目などにより形成された境界線Ｈにより切り離し可能な図１０の栞が、シートＩから切り離される前の状態を．示していて、図１１は栞の表面すなわちＭ面側から見た平面図であり、図１２は栞の裏面すなわちＮ面側から見た平面図である。
図１１，１２に示される栞は、シートＩを広告媒体のパンプレットとして使用した場合、長いヒモＯ，Ｌの収納性において図８よりも優れている。又図１０に示された栞は図１３及び図１４でも解るように本本体の表紙に掛けて使用可能なため、栞本体が広告媒体として使用された場合、栞本体のＭ面側が本の表表紙の表側に出るため前述の各栞よりも広告宣伝媒体としての機能において優れている。
図１３は図１０の栞が単行本サイズ（１５ｃｍ×２１ｃｍ）の本に使用されている状態の図である。この場合栞本体の折山Ｃを表表紙の頭頂部に掛け、ヒモＯを表表紙の下端部に掛けて使用し、ヒモＬを本本体の読みかけの頁と次の頁の間を頁の頭頂部から下部に向かって挿入して使用する。図１４は図１０の栞が文庫本サイズ（１０．５ｃｍ×１５ｃｍ）の本に使用されている状態の図である。この場合栞本体の折山Ｃを表表紙の頭頂部に掛けて、ヒモＯを表表紙の下端部に掛け、ヒモＫはヒモＫにある結び目を持ち、本本体の表表紙裏側を本本体の下端部に向かって引き出し、ヒモＫにある結び目を図１４の様に本本体の下端部から外に出るようにして使用し、さらにヒモＬを本本体の読みかけの頁と次の頁の間を頁の頭頂部から下部に向かって挿入して使用する。図１０に使用されるヒモは結び目のあるヒモＫの端から他方のヒモＬの端までは少なくても７０ｃｍ以上を必要とする。なお当然のことながら図１３、図１４でもわかるように、前記のヒモＬの端にタグＪを取り付けるとヒモの誘導に便利であるばかりでなく、タグＪの持つ面が、栞本体同様に広告宣伝の媒体としての機能を果たし、広告宣伝の媒体としての栞の機能を倍増させる効果を有する。タグＪは装飾品としての付加価値を有するものでもよい。なお、抜けどめ防止部としての結び目は、これに限らず、ビーズなどの留具類でも良い。又、ヒモＬは折山Ｃによって二分された一方の面を１回だけ貫通しているものについて述べたが、これに限らず、複数貫通させても良いことはもちろんのことである。ただし、ヒモＯは栞本体の折山Ｃのない両端部においてＭ面側からＮ面側に貫通している方が栞を本に装着しやすい。
【図面の簡単な説明】
【０００８】
【図１】は本発明の２つの穴の栞本体の平面図である。
【図２】は図１の２つの穴にヒモを通して結んだ状態の平面図である。
【図３】は本発明の栞が本に使用されている状態の斜視図である。
【図４】は本発明の３つ穴の栞本体の平面図である。
【図５】は図４の２つ以上の穴にすり抜け及びズレ防止機能を付したヒモを栞本体に通した状態で、栞本体の折山を伸ばした状態の平面図である。
【図６】は留具類等が装着された本発明が使用されている状態の斜視図である。
【図７】は本発明の折山を有するシート状の栞本体に前記折山の頂上近傍にヒモが装着された状態の斜視図である。
【図８】はミシン目などの切り込みにより切り離すことが可能な栞がシートから切り離される前の状態の平面図である。
【図９】はタグ及び留具類等が装着された本発明の栞が本に使用されている状態の斜視図である。
【図１０】は本発明の他の実施例の斜視図である。
【図１１】は図１０の栞がシートに形成されている状態を示す栞のＭ面側から見た平面図である。
【図１２】は図１０の栞がシートに形成されている状態を示す栞のＮ面側から見た平面図である。
【図１３】は本発明が単行本サイズの本に使用されている状態の斜視図であリ、（イ）は本の表紙を開いた図、（ロ）は本の表紙を閉じた図である。
【図１４】は本発明が文庫本サイズの本に使用されている状態の斜視図である。
【符号の説明】
【０００９】Ａ        穴又は切り込みのある面
Ｂ        穴又は切り込みの無い面
Ｃ        折山
Ｄ        穴
Ｅ        ヒモ
Ｅ−１    （穴に結ばれた）ヒモ
Ｅ−２    ヒモ
Ｅ−３    （結び目又は留具類等を有する）ヒモ
Ｆ        本の表表紙裏
Ｇ−１    切り込み
Ｇ−２    （折山近傍の）切り込み
Ｇ−３    切り込み
Ｈ        境界線
Ｉ        シート
Ｊ        タグ
Ｋ        ヒモ
Ｌ        ヒモ
Ｍ        栞の表面側面
Ｎ        栞の裏面側面
Ｏ        ヒモの中間部
【図１】
0004462561.tif 000002
【図２】
0004462561.tif 000003
【図３】
0004462561.tif 000004
【図４】
0004462561.tif 000005
【図５】
0004462561.tif 000006
【図６】
0004462561.tif 000007
【図７】
0004462561.tif 000008
【図８】
0004462561.tif 000009
【図９】
0004462561.tif 000010
【図１０】
0004462561.tif 000011
【図１１】
0004462561.tif 000012
【図１２】
0004462561.tif 000013
【図１３】
0004462561.tif 000014
【図１４】
0004462561.tif 000015